(57)【要約】【課題】  架空引込線の任意の位置における離隔をより確実に確保する。【解決手段】  低圧架空引込線１０１の第１の位置１０１ａに固定される第１の巻き線５と、低圧架空引込線１０１の第２の位置１０ｂに固定される第２の巻き線６と、第１の巻き線５と第２の巻き線６とを接近させてその状態を保持することで、第１の位置１０１ａと第２の位置１０ｂの間の低圧架空引込線１０１を湾曲させる収縮バー２０と、を備える。【選択図】  図１
2019193465.tif 000002
【特許請求の範囲】
【請求項１】
架空引込線の第１の位置に固定される第１の固定手段と、
前記架空引込線の第２の位置に固定される第２の固定手段と、
前記第１の固定手段と前記第２の固定手段とを接近させてその状態を保持することで、前記第１の位置と前記第２の位置の間の前記架空引込線を湾曲させる接近保持手段と、
を備えることを特徴とする架空引込線離隔装置。
【請求項２】
前記接近保持手段は、収縮可能で、収縮方向の一端側に前記第１の固定手段が連結され、収縮方向の他端側に前記第２の固定手段が連結され、
前記接近保持手段を収縮させて、前記第１の固定手段と前記第２の固定手段とを接近させる、
ことを特徴とする請求項１に記載の架空引込線離隔装置。
【請求項３】
前記第１の固定手段と前記第２の固定手段は、変形自在な線状体で、前記架空引込線に巻き付いて固定される、
ことを特徴とする請求項１または２のいずれか１項に記載の架空引込線離隔装置。
【発明の詳細な説明】
【技術分野】
【０００１】
この発明は、架空引込線と他物との離隔を確保するための架空引込線離隔装置に関する。
【背景技術】
【０００２】
配電設備の低圧架空引込線は、他物から所定距離以上離隔されている必要があり、定期的に巡視点検を行い、離隔が確保されていない箇所に対しては、その都度改修を行っている。しかしながら、近年、弱電類を電柱に共架するケースが増加し、離隔が確保されていない箇所が多く発生するばかりでなく、改修が容易でない場合が生じ、例えば、低圧架空引込線を家屋側から根本的に配設し直さなければならず、改修に多大な労力と時間を要していた。
【０００３】
このため、ケーブルの形状を任意に変形させることで、ケーブル間の離隔を確保することができる、というケーブル位置調整部材が知られている（例えば、特許文献１参照。）。このケーブル位置調整部材は、ケーブルに巻き付いて任意に変形させる巻線部と、巻線部の一端側に設けられて巻線部を他の部材に固定する第１固定手段と、巻線部の他端側に設けられて巻線部をケーブルに固定する第２固定手段とを備えものである。
【先行技術文献】
【特許文献】
【０００４】
【特許文献１】特開２００８−１４１８８４号公報
【発明の概要】
【発明が解決しようとする課題】
【０００５】
ところで、低圧架空引込線の離隔は全長にわたって確保する必要があり、任意の位置で離隔を確保する改修を行う必要性が生じ得る。しかしながら、特許文献１に記載のケーブル位置調整部材では、第１固定手段を碍子などに固定するため、碍子などの部材が近くにある位置でないとケーブル位置調整部材を配置することができない。また、巻線部によってケーブルを変形、保持させるだけであるため、外力や経年などによってケーブルが元の位置に戻ってしまうおそれがある。
【０００６】
そこでこの発明は、架空引込線の任意の位置における離隔をより確実に確保することが可能な架空引込線離隔装置を提供することを目的とする。
【課題を解決するための手段】
【０００７】
上記課題を解決するために、請求項１の発明は、架空引込線の第１の位置に固定される第１の固定手段と、前記架空引込線の第２の位置に固定される第２の固定手段と、前記第１の固定手段と前記第２の固定手段とを接近させてその状態を保持することで、前記第１の位置と前記第２の位置の間の前記架空引込線を湾曲させる接近保持手段と、を備えることを特徴とする架空引込線離隔装置である。
【０００８】
この発明によれば、架空引込線の第１の位置に第１の固定手段を固定し、架空引込線の第２の位置に第２の固定手段を固定して、接近保持手段で第１の固定手段と第２の固定手段とを接近させてその状態を保持する。これにより、第１の位置と第２の位置の間の架空引込線が湾曲して、他物との離隔が確保される。
【０００９】
請求項２の発明は、請求項１に記載の架空引込線離隔装置において、前記接近保持手段は、収縮可能で、収縮方向の一端側に前記第１の固定手段が連結され、収縮方向の他端側に前記第２の固定手段が連結され、前記接近保持手段を収縮させて、前記第１の固定手段と前記第２の固定手段とを接近させる、ことを特徴とする。
【００１０】
請求項３の発明は、請求項１または２に記載の架空引込線離隔装置において、前記第１の固定手段と前記第２の固定手段は、変形自在な線状体で、前記架空引込線に巻き付いて固定される、ことを特徴とする。
【発明の効果】
【００１１】
請求項１の発明によれば、接近保持手段で第１の固定手段と第２の固定手段とを接近させることで、第１の位置と第２の位置の間の架空引込線が湾曲して、他物との離隔を確保することができる。この際、離隔を確保したい箇所（引込線の部分）の一端である第１の位置に第１の固定手段を固定し、離隔を確保したい箇所の他端である第２の位置に第２の固定手段を固定することで、架空引込線の任意の位置・箇所に対して離隔を確保することができる。また、第１の固定手段と第２の固定手段との接近状態、つまり、架空引込線の湾曲状態が接近保持手段で保持されるため、外力や経年などによらず離隔をより確実に（長期間にわたって）確保することが可能となる。
【００１２】
このように、本架空引込線離隔装置を取り付けることで離隔をより確実に確保できる結果、作業者が現場で改修方法を悩むことなく容易に離隔を確保でき、改修案の策定から施工までの労力と時間を削減することが可能となる。また、停電して改修する必要がなくなるため、需要家の満足度、信頼度を高めることが可能となる。
【００１３】
請求項２の発明によれば、接近保持手段を収縮させるだけで、第１の固定手段と第２の固定手段とが接近して架空引込線が湾曲するため、高所や狭所など作業環境が厳しい場合でも、容易かつ確実に離隔を確保することができる。
【００１４】
請求項３の発明によれば、架空引込線に巻き付けるだけで第１の固定手段と第２の固定手段が固定されるため、高所や狭所など作業環境が厳しい場合でも、容易かつ適正に架空引込線に取り付けて離隔を確保することができる。
【図面の簡単な説明】
【００１５】
【図１】この発明の実施の形態に係る架空引込線離隔装置の使用状態を示す正面図である。
【図２】図１の架空引込線離隔装置を示す正面図である。
【図３】図２の架空引込線離隔装置の収縮バーの接続部を示す断面図である。
【図４】この発明の実施の形態における離隔確保前の配線状態を示す正面図である。
【図５】この発明の実施の形態における第１の変形例を正面図である。
【図６】この発明の実施の形態における第２の変形例を正面図である。
【図７】この発明の実施の形態における第３の変形例を正面図である。
【発明を実施するための形態】
【００１６】
以下、この発明を図示の実施の形態に基づいて説明する。
【００１７】
図１〜図４は、この発明の実施の形態を示し、図１は、この実施の形態に係る架空引込線離隔装置１の使用状態を示す正面図である。この架空引込線離隔装置１は、低圧架空引込線１０１と他物との離隔を所定距離以上に確保するための装置であり、図２に示すように、主として、収縮バー（接近保持手段）２０と、第１の巻き線（第１の固定手段）５と、第２の巻き線（第２の固定手段）６と、を備える。ここで、この実施の形態では、他物が弱電ケーブル１０２で、図４に示すように、低圧架空引込線１０１に対して弱電ケーブル１０２が略垂直に延びる場合について、主として説明する。
【００１８】
収縮バー２０は、第１の巻き線５と第２の巻き線６とを接近させてその状態を保持することで、後述するように、第１の位置１０１ａと第２の位置１０１ｂの間の低圧架空引込線１０１を湾曲させるものであり、伸縮（収縮）可能な棒状体となっている。すなわち、電気絶縁材で構成され、図２に示すように、円筒状の第１のバー２と、一端側が第１のバー２に進退自在に挿入された円筒状の第２のバー３と、第１のバー２と第２のバー３を接続するコネクタ４と、を備える。
【００１９】
第１のバー２の軸方向の一端側には、図３に示すように、外周面に雄ネジ２１が形成され、さらに、雄ネジ２１よりも先端側に位置する部位の外周面（テーパ外周面２２）は、先端縁に向かって外径が小さくなるテーパ状（円錐台状）に形成されている。また、この先端縁から雄ネジ２１の中央部にわたって、軸方向に延びる細長い切込みであるスリット２３が、円周周りに複数形成されている。一方、第１のバー２の他端（収縮バー２０の収縮方向の一端側）には、図２に示すように、第１の巻き線５の一端が連結されている。
【００２０】
第２のバー３の外径は、第１のバー２の内径よりもやや小さく設定され、図３に示すように、一端側を第１のバー２内に挿入して進退させる（一端縁３ａの位置を変える）ことで、収縮バー２０が伸び縮みするようになっている。一方、第２のバー３の他端（収縮バー２０の収縮方向の他端側）には、図２に示すように、第２の巻き線６の一端が連結されている。
【００２１】
コネクタ４は、略円筒状で、軸方向の一端側の内周面に雌ネジ４１が形成され、他端側の内周面（テーパ内周面４２）は、他端縁に向かって内径が小さくなるテーパ状（円錐台状）に形成されている。ここで、雌ネジ４１は、雄ネジ２１と螺合するように形成され、テーパ内周面４２は、テーパ外周面２２と面接触するように形成されている。このようなコネクタ４に、第２のバー３の第１のバー２側が挿入されている。
【００２２】
そして、第１のバー２に対する第２のバー３の挿入長さを調整して、コネクタ４の雌ネジ４１を第１のバー２の雄ネジ２１に締め付けると、テーパ内周面４２がテーパ外周面２２に面接触していき（くさびのように食い込み）、テーパ外周面２２の部位つまり第１のバー２の一端側が第２のバー３を押圧して（第２のバー３に抱き着き）、第１のバー２と第２のバー３とが連結、固定されるものである。
【００２３】
第１の巻き線５は、低圧架空引込線１０１の第１の位置１０１ａに固定される部材であり、この実施の形態では、変形自在な線状体で、低圧架空引込線１０１に巻き付いて固定される。すなわち、変形自在で変形後に形状を保持する（塑性変形する）金属線材と、この金属線材の全外周面を覆う電気絶縁性（例えば、ゴム製）のコーティング材で構成されている。そして、図１に示すように、低圧架空引込線１０１に巻き付けることで第１の位置１０１ａに固定できるものである。ここで、第１の巻き線５の長さは、長期間安定して低圧架空引込線１０１に固定できるように設定されている。
【００２４】
第２の巻き線６は、低圧架空引込線１０１の第２の位置１０１ｂに固定される部材であり、この実施の形態では、第１の巻き線５と同様に、変形自在な線状体で、低圧架空引込線１０１に巻き付いて固定される。
【００２５】
このような構成の架空引込線離隔装置１を低圧架空引込線１０１に取り付けて、弱電ケーブル１０２との離隔を所定距離（法定距離）以上に確保するには、次のようにすればよい。ここで、架空引込線離隔装置１を取り付ける前には、図４に示すように、低圧架空引込線１０１が弱電ケーブル１０２から所定距離未満の距離Ｄ１しか離れていないものとする。
【００２６】
まず、低圧架空引込線１０１の弱電ケーブル１０２に対向する周辺において、収縮バー２０を伸ばした状態で、低圧架空引込線１０１の第１の位置１０１ａに第１の巻き線５を巻き付けて固定し、低圧架空引込線１０１の第２の位置１０１ｂに第２の巻き線６を巻き付けて固定する。ここで、収縮バー２０が低圧架空引込線１０１よりも弱電ケーブル１０２側に位置し、低圧架空引込線１０１が湾曲した際に湾曲部が弱電ケーブル１０２から遠ざかるようにする。また、第１の位置１０１ａは、低圧架空引込線１０１の離隔を確保したい箇所（引込線の部分）の一端で、例えば、弱電ケーブル１０２から一方より（左側）で、第２の位置１０１ｂは、低圧架空引込線１０１の離隔を確保したい箇所の他端で、例えば、弱電ケーブル１０２から他方より（右側）である。
【００２７】
次に、図１に示すように、収縮バー２０を縮めて第１の巻き線５と第２の巻き線６とを接近させ、第１の位置１０１ａと第２の位置１０１ｂの間の低圧架空引込線１０１を湾曲させる。この際、低圧架空引込線１０１の湾曲部と弱電ケーブル１０２との距離Ｄ２が所定距離以上になるまで、収縮バー２０を縮める。そして、上記のようにしてコネクタ４を締め付けることで、収縮バー２０の収縮状態つまり低圧架空引込線１０１の湾曲状態を保持するものである。なお、距離Ｄ２が確保されるように低圧架空引込線１０１を湾曲させた後に、収縮バー２０の長さを調整して湾曲部の両側に巻き線５、６を固定してもよい。
【００２８】
このように、この架空引込線離隔装置１によれば、収縮バー２０で第１の巻き線５と第２の巻き線６とを接近させることで、第１の位置１０１ａと第２の位置１０１ｂの間の低圧架空引込線１０１が湾曲して、弱電ケーブル１０２との離隔を確保することができる。この際、離隔を確保したい箇所（引込線の部分）の一端である第１の位置１０１ａに第１の巻き線５を固定し、離隔を確保したい箇所の他端である第２の位置１０１ｂに第２の巻き線６を固定することで、低圧架空引込線１０１の任意の位置・箇所に対して離隔を確保することができる。また、第１の巻き線５と第２の巻き線６との接近状態、つまり、低圧架空引込線１０１の湾曲状態が収縮バー２０で保持されるため、外力や経年などによらず離隔をより確実に（長期間にわたって）確保することが可能となる。
【００２９】
このように、本架空引込線離隔装置１を取り付けることで離隔をより確実に確保できる結果、作業者が現場で改修方法を悩むことなく容易に離隔を確保でき、改修案の策定から施工までの労力と時間を削減することが可能となる。また、停電して改修する必要がなくなるため、需要家の満足度、信頼度を高めることが可能となる。
【００３０】
また、収縮バー２０を縮めるだけで、第１の巻き線５と第２の巻き線６とが接近して低圧架空引込線１０１が湾曲するため、高所や狭所など作業環境が厳しい場合でも、容易かつ確実に離隔を確保することができる。
【００３１】
さらに、低圧架空引込線１０１に巻き付けるだけで第１の巻き線５と第２の巻き線６が固定されるため、高所や狭所など作業環境が厳しい場合でも、容易かつ適正に低圧架空引込線１０１に取り付けて離隔を確保することができる。
【００３２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１の固定手段と第２の固定手段が低圧架空引込線１０１に巻き付く巻き線５、６で構成されているが、低圧架空引込線１０１を把持するクランプなどで構成してもよい。
【００３３】
また、接近保持手段は、上記の収縮バー２０に限らず、他の構成であってもよい。例えば、図５に示すように、第１のバー２に対する第２のバー３の挿入長さを調整して、第１のバー２に螺合された止めネジ３１で第２のバー３を固定するようにしてもよい。
【００３４】
また、図６に示すように、筒状で軸方向に延びるスリット７１が形成された本体７の両開口から、それぞれ巻き線５、６を挿入し、巻き線５、６の先端にハンドル７２、７３を設けてハンドル７２、７３をスリット７１から突出させる。そして、ハンドル７２、７３を互いに近づけて固定することで、第１の巻き線５と第２の巻き線６とを接近させるようにしてもよい。
【００３５】
あるいは、図７に示すように、収容体８に回転自在に収容された巻き芯（図示せず）に、巻き線５、６の一端側を接続し、巻き芯を回転させるハンドル８１を設ける。そして、ハンドル８１を回して巻き芯に巻き線５、６を巻き付け、ハンドル８１を固定して第１の巻き線５と第２の巻き線６とを接近させるようにしてもよい。
【符号の説明】
【００３６】
１        架空引込線離隔装置
２０      収縮バー（接近保持手段）
２        第１のバー
３        第２のバー
４        コネクタ
５        第１の巻き線（第１の固定手段）
６        第２の巻き線（第２の固定手段）
１０１    低圧架空引込線（架空引込線）
１０１ａ  第１の位置
１０１ｂ  第２の位置
１０２    弱電ケーブル（他物）
【図１】
2019193465.tif 000003
【図２】
2019193465.tif 000004
【図３】
2019193465.tif 000005
【図４】
2019193465.tif 000006
【図５】
2019193465.tif 000007
【図６】
2019193465.tif 000008
【図７】
2019193465.tif 000009